(57)【特許請求の範囲】
【請求項１】
釣り糸を巻き取る回転体を有する釣り用リールにおける前記回転体を支持する支持機構であって、
前記回転体の回転軸の外周面を覆うように配置され、前記回転体の回転軸と所定の隙間を持った状態で遊嵌する内輪と、
前記内輪の外周側に配置され、前記釣り用リールの本体に支持される外輪と、前記内輪と前記外輪との間に保持される転動体と、
を備え、
前記外輪に対して前記内輪が軸方向に付勢されている支持機構。
【請求項２】
前記内輪は、前記外輪に対して、磁力によって軸方向に付勢されている、請求項１に記載の支持機構。
【請求項３】
前記内輪及び前記外輪はそれぞれ着磁されている、請求項２に記載の支持機構。
【請求項４】
前記内輪は、磁性体であるか、あるいは着磁されており、
前記釣り用リールの本体あるいは前記外輪に支持され、前記内輪を吸引あるいは離反させる磁石をさらに備えている、
請求項２に記載の支持機構。
【請求項５】
前記磁石は、前記内輪との距離の変更ができるように支持されている、請求項４に記載の支持機構。
【発明の詳細な説明】
【０００１】
【発明の属する技術分野】
釣り糸を巻き取る回転体を有する釣り用リールにおける回転体を支持する支持機構に関する。
【０００２】
【従来の技術】
釣り用リール、特に両軸受リールは、釣り糸が巻かれるスプールが回転するリールであって、リール本体と、リール本体に回転自在に支持されたスプールと、スプールを回転させるハンドルとを備えている。スプールとハンドルとの間には、ハンドルからの回転をスプールに伝達するギア機構及びギア機構とスプールとを係脱するクラッチ機構が設けられている。スプールの中心にはスプール軸が貫通しており、このスプール軸は転がり軸受によりリール本体に回転自在に支持されている。
【０００３】
この種の両軸受リール、特にルアーフィッシングに使用されるベイトキャスティングリールでは、巻き上げ時等の高負荷低速回転時の伝達効率を向上させるため、スプールを支持するための軸受として玉軸受等の転がり軸受を用いることが望ましい。また、キャスティング時等の低負荷高速回転時のノイズを防ぐためには、ブッシュ等の滑り軸受を用いることが望ましい。そこで従来のベイトリールでは、スプール軸と転がり軸受の内輪とを締まり嵌めにするとキャスティング時等の低負荷高速回転時に抵抗が大きくなることを考慮して、内輪とスプール軸との間に僅かな隙間を設けて内輪とスプール軸とが摺動するようにしている。このような構成により、低負荷時には転がり軸受が滑り軸受として機能して抵抗が少なくなる。
【０００４】
【発明が解決しようとする課題】
上記従来の構成では、低負荷時には、転がり軸受の内輪とスプール軸とが滑ることによって、転がり軸受の転動体の転がりが少なくなり、ノイズが小さくなる。また、高負荷時には、内輪とスプール軸とが圧接して、転がり軸受が滑り軸受としてではなく転がり軸受として働く。
【０００５】
しかし、低負荷時であってもスプール軸が内輪に接するため、内輪及び転動体がスプール軸の回転に従ってある程度回転しノイズが発生する。
本発明の課題は、内輪とスプール軸との間に隙間を設けて内輪とスプール軸とが摺動し得るようにした釣り用リールにおいて、低負荷高速回転時に発生するノイズが少ないスプールの支持機構を提供することにある。
【０００６】
【課題を解決するための手段】
発明１に係る支持機構は、釣り糸を巻き取る回転体を有する釣り用リールにおける回転体を支持する支持機構であって、内輪と、外輪と、転動体とを備えている。内輪は、回転体の回転軸の外周面を覆うように配置されており、回転体の回転軸と所定の隙間を持った状態で遊嵌する。外輪は、内輪の外周側に配置されており、釣り用リールの本体に支持される。転動体は、内輪と外輪との間に保持される。また、内輪は、外輪に対して軸方向に付勢されている。
【０００７】
魚がかかったときなど高負荷で釣り糸を巻き上げるときには、釣り用リールの回転体の回転軸が内輪と圧接し、転動体が内輪と外輪との間で転動することによって回転体が釣り用リールの本体に対して回転する。
キャスティング時など低負荷で回転体を回転させるときには、隙間を持って遊嵌している回転軸と内輪とが摺動して相対回転する。また、低負荷ではあっても回転軸と内輪とは接するので、内輪は回転軸に対して摺動しつつ回転軸の回転に従って回転軸の回転数よりも小さな回転数で回転する。このように回転軸の回転によってある程度内輪が回転するため、転動体も外輪と内輪との間で転動する。
【０００８】
このような支持機構では、内輪と回転軸との間に隙間が存在するため、内輪は回転軸に対して軸方向に移動可能である。したがって、内輪が外輪に対して付勢されていなければ、転動体が内輪と外輪との間でがたついてノイズが大きくなる。しかし、ここでは内輪を外輪に対して軸方向に付勢しているため、回転体を回転させるとき、特に低負荷で回転体を回転させるときに、転動体のがたつきが小さくなり、発生するノイズが抑えられる。
【０００９】
発明２に係る支持機構は、発明１に記載の支持機構において、内輪は、外輪に対して、磁力によって軸方向に付勢されている。
ここでは、磁力を利用しているため、外輪と相対回転する内輪を、外輪に対して容易に付勢させることができる。また、磁力を利用しているため、内輪及び外輪に接して両者の相対回転を阻害するような付勢部材を設ける必要がなくなる。
【００１０】
発明３に係る支持機構は、発明２に記載の支持機構において、内輪及び外輪はそれぞれ着磁されている。
ここでは、内輪及び外輪を着磁することにより、内輪を外輪に対して磁力によって付勢している。したがって、内輪を外輪に対して付勢する別個の付勢部材や磁石を設ける必要がなく、省スペース化を図ることができる。
【００１１】
発明４に係る支持機構は、発明２に記載の支持機構において、釣り用リールの本体あるいは外輪に支持される磁石を備えている。内輪は、磁性体であるか、あるいは着磁されており、磁石によって吸引あるいは離反させられる。
発明５に係る支持機構は、発明４に係る支持機構において、磁石は、内輪との距離の変更ができるように支持されている。
【００１２】
ここでは、磁石と内輪との距離を変更することができ、これにより内輪を外輪に対して付勢する力を適正な値に調整することができる。
【００１３】
【発明の実施の形態】
〔実施形態１〕
図１及び図２において、本発明の一実施形態による両軸受リールは、ベイトキャスト用のロープロフィール型のリールである。このリールは、リール本体１と、リール本体１の側方に配置されたスプール回転用ハンドル２と、ハンドル２のリール本体１側に配置されたドラグ調整用のスタードラグ３とを備えている。ハンドル２は、板状のアーム部２ａと、アーム部２ａの両端に回転自在に装着された把手２ｂとを有するダブルハンドル形のものである。
【００１４】
図３に示すように、リール本体１は、フレーム５と、フレーム５の両側方に装着された第１側カバー６ａ及び第２側カバー６ｂとを有している。また、リール本体１は、図１及び図２に示すように、前方を覆う前カバー７と、上部を覆うサムレスト８とを有している。リール本体１の内部には、後述するように糸巻用のスプール１２が回転自在に装着されている。
【００１５】
フレーム５は、図３及び図４に示すように所定の間隔をあけて互いに対向するように配置された１対の側板５ａ，５ｂと、これらの側板５ａ，５ｂを連結する複数の連結部とを有している。下側の連結部には、図３に示すように、リールを釣り竿Ｒに装着するための前後に長いステンレス製の装着脚部４がネジ止めされている。
【００１６】
第１側カバー６ａは、スプール１２の着脱を可能にするためにフレーム５に揺動自在に装着されフレーム５に対して開閉可能である。前カバー７は、図３に示すように、リール本体１の前部において側板５ａ，５ｂ間に装着されている。前カバー７は、その上方に配置されたサムレスト８との間で前部に形成された開口を有している。開口は、釣り糸が通過し得るように横長に形成されている。カバー部材１０ａ，１０ｂはボルトによりサムレスト８及び前カバー７にそれぞれ固定されている。サムレスト８は、図１〜図３に示すように、平面視コ字状にリール本体１の上部に装着されている。このサムレスト８の前部８ａに釣り竿を持つ手Ｈ（図１参照）の親指を置くことでパーミングを行える。サムレスト８の上面はそれぞれ上方に凸に湾曲した曲面で構成されている。
【００１７】
フレーム５内には、図３及び図４に示すように、釣り竿Ｒと直交する方向に配置されたスプール１２と、スプール１２内に均一に釣り糸を巻くためのレベルワインド機構１５と、サミングを行う場合の親指の当てとなる、クラッチレバー１７とが配置されている。またフレーム５と第２側カバー６ｂとの間には、ハンドル２からの回転力をスプール１２及びレベルワインド機構１５に伝えるためのギア機構１８と、クラッチ機構１３と、クラッチ機構１３の係脱を行うためのクラッチ係脱機構１９と、クラッチレバー１７の操作に応じてクラッチ機構の係脱を制御するための係脱制御機構２０と、ドラグ機構２１と、スプール１２の回転時の抵抗力を調整するためのキャスティングコントロール機構２２とが配置されている。また、フレーム５と第１側カバー６ａとの間には、キャスティング時のバックラッシュを抑えるための遠心ブレーキ機構２３が配置されている。
【００１８】
スプール１２は、両側部に皿状のフランジ部１２ａを有しており、両フランジ部１２ａの間に筒状の糸巻き胴部１２ｂを有している。また、スプール１２は、糸巻き胴部１２ｂの内周側の軸方向の実質的に中央部に一体で形成された筒状のボス部１２ｃを有しており、ボス部１２ｃを貫通するスプール軸１６にセレーション結合により回転不能に固定されている。この固定方法はセレーション結合に限定されず、キー結合やスプライン結合等の種々の結合方法を用いることができる。
【００１９】
スプール軸１６は、側板５ｂを貫通して第２側カバー６ｂの外方に延びている。その延びた一端は、第２被支持部１６ｄで第２軸受６２によって支持されている（図５参照）。
第２軸受６２は、主として、内輪６２ａと、外輪６２ｂと、複数の玉（転動体）６２ｃとから構成されている。図５に示すように、内輪６２ａ及び外輪６２ｂは円弧状の溝を有しており、複数の玉６２ｃは両溝の間で保持される。なお、複数の玉６２ｃは図示しない保持器によって保持されている。外輪６２ｂは、第２側カバー６ｂに形成されたボス部６ｃに固定されている。また、外輪６２ｂに隣接する位置には第２側カバー６ｂに環状の磁石支持部８１が固定され、磁石支持部８１の内周面にはネジ溝が形成されている。この磁石支持部８１のネジ溝には、永久磁石８２ａを有する磁石組立体８２がねじ込まれる。永久磁石８２ａは、内輪６２ａと隣接しており、磁石組立体８２のねじ込み量を調整することで内輪６２ａとの距離ｓ２が変わる。内輪６２ａは、スプール軸１６の第２被支持部１６ｄの外周面を覆うようにして、スプール軸１６と遊嵌している。したがって、内輪６２ａと第２被支持部１６ｄとの間には隙間ｇ２が存在する。また、内輪６２ａは磁性体であり、永久磁石８２ａ側（図５の左側）に引っ張られる。すなわち、内輪６２ａは、第２側カバー６ｂに固定されている外輪６２ｂに対してスプール軸１６に沿った方向に付勢されている状態となる。
【００２０】
またスプール軸１６の他端は、第１被支持部１６ｃで第１軸受６１によって支持されている（図６参照）。
第１軸受６１は、主として、内輪６１ａと、外輪６１ｂと、複数の玉（転動体）６１ｃとから構成されている。図６に示すように、内輪６１ａ及び外輪６１ｂは円弧状の溝を有しており、複数の玉６１ｃは両溝の間で保持される。なお、複数の玉６１ｃは図示しない保持器によって保持されている。外輪６１ｂは、側板５ａに形成された筒部７１に固定されている。また、外輪６１ｂに隣接する位置には筒部７１に固定された環状の磁石支持部７２があり、磁石支持部７２の内周面にはネジ溝が形成されている。この磁石支持部７２のネジ溝には、永久磁石７３ａを有する磁石組立体７３がねじ込まれる。永久磁石７３ａは、内輪６１ａと隣接しており、磁石組立体７３のねじ込み量を調整することで内輪６１ａとの距離ｓ１が変わる。内輪６１ａは、スプール軸１６の第１被支持部１６ｃの外周面を覆うようにして、スプール軸１６と遊嵌している。したがって、内輪６１ａと第１被支持部１６ｃとの間には隙間ｇ１が存在する。また、内輪６１ａは磁性体であり、永久磁石７３ａ側（図６の右側）に引っ張られる。すなわち、内輪６１ａは、筒部７１に固定されている外輪６１ｂに対してスプール軸１６に沿った方向に付勢されている状態となる。
【００２１】
スプール軸１６の大径部分１６ａの右端は、図４に示すように側板５ｂの貫通部部分に配置されており、そこにはクラッチ機構１３を構成する係合ピン１６ｂが固定されている。係合ピン１６ｂは、直径に沿って大径部分１６ａを貫通しており、その両端が径方向に突出している。
レベルワインド機構１５は、図４に示すように、１対の側板５ａ，５ｂ間に固定されたガイド筒２５と、ガイド筒２５内に回転自在に支持されたウォームシャフト２６と、ラインガイド２７とを有している。このレベルワインド機構１５では、ギア機構１８を介してウォームシャフト２６が回転させられることにより、ラインガイド２７がガイド筒２５に沿って往復動する。このラインガイド２７のガイドリング内に釣り糸が挿通されて釣り糸がスプール１２に均一に巻き付けられる。
【００２２】
ギア機構１８は、ハンドル軸３０と、ハンドル軸３０に固定されたメインギア３１と、メインギア３１に噛み合う筒状のピニオンギア３２と、前述のウォームシャフト２６端部に固定されたギア２８ａと、ハンドル軸３０に回転不能に固定され、ギア２８ａに噛み合うギア２８ｂとを有している。
ピニオンギア３２は、図４に示すように、側板５ｂの外方から内方に延び、中心にスプール軸１６が貫通する筒状部材であり、スプール軸１６に軸方向に移動自在に装着されている。また、ピニオンギア３２の図４左端部は、軸受４３により側板５ｂに回転自在かつ軸方向移動自在に支持されている。この軸受４３はシールドボールベアリングである。
【００２３】
ピニオンギア３２は、図４右端側外周部に形成されメインギア３１に噛合する歯部３２ａと、他端側に形成された噛み合い部３２ｂと、歯部３２ａと噛み合い部３２ｂとの間に形成されたくびれ部３２ｃとを有している。噛み合い部３２ｂは、ピニオンギア３２の端面に直径に沿って形成された凹溝からなり、そこにスプール軸１６を貫通して固定された係合ピン１６ｂが係止される。ここではピニオンギア３２が外方に移動してその噛み合い部３２ｂとスプール軸１６の係合ピン１６ｂとが離脱すると、ハンドル軸３０からの回転力はスプール１２に伝達されない。この噛み合い部３２ｂと係合ピン１６ｂとによりクラッチ機構１３が構成される。係合ピン１６ｂと噛み合い部３２ｂとが係合すると、スプール軸１６より大径のピニオンギア３２からスプール軸１６にトルクが直接伝達されるので、ねじれ変形がより少なくなり、トルク伝達効率が向上する。
【００２４】
クラッチレバー１７は、図２に示すように、１対の側板５ａ，５ｂ間の後部でスプール１２後方に配置されている。フレーム５の側板５ａ，５ｂには長孔（図示せず）が形成されており、クラッチレバー１７の回転軸１７ａがこの長孔に回転自在に支持されている。このため、クラッチレバー１７は長孔に沿って上下方向にスライドすることも可能である。
【００２５】
クラッチ係脱機構１９は、図４に示すように、クラッチヨーク４０を有している。クラッチヨーク４０は、スプール軸１６の外周側に配置されており、２本のピン４１（一方のみ図示）によってスプール軸１６の軸芯と平行に移動可能に支持されている。なお、スプール軸１６はクラッチヨーク４０に対して回転可能である。すなわち、スプール軸１６が回転してもクラッチヨーク４０は回転しない。またクラッチヨーク４０はその中央部にピニオンギア３２のくびれ部３２ｃに係合する係合部４０ａを有している。またクラッチヨーク４０を支持する各ピン４１の外周で、クラッチヨーク４０と第２側カバー６ｂとの間にはスプリング４２が配置されており、クラッチヨーク４０はスプリング４２によって常に内方に付勢されている。このクラッチヨーク４０は、クラッチレバー１７の操作により、スプール軸１６に沿った方向に移動する。
【００２６】
次に動作について説明する。
通常状態では、ピニオンギア３２は内方のクラッチ係合位置に位置しており、その噛み合い部３２ｂとスプール軸１６の係合ピン１６ｂとが係合してクラッチオン状態となっており、ハンドル２からの回転力は、ハンドル軸３０、メインギア３１及びピニオンギア３２を介してスプール軸１６及びスプール１２に伝達される。釣り糸の巻き上げ時に大きな負荷が作用すると、第１及び第２軸受６１，６２の内輪６１ａ，６２ａとスプール軸１６の第１及び第２被支持部１６ｃ、１６ｄとの隙間ｇ１，ｇ２がなくなり、第１及び第２軸受６１，６２は転がり軸受として働く。
【００２７】
キャスティングを行う場合には、クラッチレバー１７が下方に押される。そしてクラッチレバー１７の移動により、クラッチヨーク４０が外方に移動し、クラッチヨーク４０に係合するピニオンギア３２も同方向に移動させられる。この状態では、噛み合い部３２ｂと係合ピン１６ｂとの係合が外れクラッチオフ状態となり、ハンドル軸３０からの回転はスプール軸１６及びスプール１２に伝達されない。このようにクラッチオフ状態として釣り竿を振ると、ルアーが投げられスプール１２が糸繰り出し方向に勢いよく回転する。
【００２８】
キャスティングを行う場合には負荷が小さいので、第１及び第２軸受６１，６２の内輪６１ａ，６２ａとスプール軸１６の第１及び第２被支持部１６ｃ、１６ｄとは、それぞれ摺動する。すなわち、第１及び第２軸受６１，６２は滑り軸受として働く。しかしながら、低負荷ではあってもスプール軸１６と内輪６１ａ，６２ａとは接するので、内輪６１ａ，６２ａはスプール軸１６に対して滑りつつスプール軸１６の回転につられてスプール軸１６の回転数よりも小さな回転数で回転する。このようにスプール軸１６の回転によってある程度内輪６１ａ，６２ａが回転するため、玉６１ｃ、６２ｃも外輪６１ｂ、６２ｂと内輪６１ａ，６２ａとの間で転動する。しかし、ここでは内輪６１ａ，６２ａを外輪６１ｂ、６２ｂに対して永久磁石７３ａ，８２ａによって軸方向に付勢しているため、キャスティングを行うときに、内輪６１ａ，６２ａ及び外輪６１ｂ、６２ｂに保持される玉６１ｃ，６２ｃのがたつきが小さくなり、発生するノイズが抑えられる。
【００２９】
また、ここでは磁力を利用して非接触で内輪６１ａ，６２ａを外輪６１ｂ、６２ｂに対して付勢させているため、第１及び第２軸受６１，６２の回転抵抗を小さく抑えることができる。
また、永久磁石７３ａ，８２ａと内輪６１ａ，６２ａとの距離ｓ１，ｓ２を変更することができるので、内輪６１ａ，６２ａを付勢する力を適正な値に調整することができる。
【００３０】
なお、図面における隙間寸法等は、理解を容易ならしめるために実寸よりも大きく描いている。
〔実施形態２〕
前記実施形態１では、永久磁石７３ａ，８２ａを内輪６１ａ，６２ａに隣接させて配備することにより内輪６１ａ，６２ａを外輪６１ｂ、６２ｂに対して軸方向に付勢しているが、実施形態１の磁石組立体７３，８２や磁石支持部７２，８１を設けずに、図７及び図８に示すように、内輪６３ａ，６４ａ及び外輪６３ｂ、６４ｂ自身を磁化させても良い。
【００３１】
図７に示すスプール軸１６の第２被支持部１６ｄを支える第２軸受６４は、主として、内輪６４ａと、外輪６４ｂと、複数の玉（転動体）６４ｃとから構成されている。内輪６４ａ及び外輪６４ｂは円弧状の溝を有しており、複数の玉６４ｃは両溝の間で保持される。なお、複数の玉６４ｃは図示しない保持器によって保持されている。外輪６４ｂは、第２側カバー６ｂに形成されたボス部６ｃに固定されている。内輪６４ａは、スプール軸１６の第２被支持部１６ｄの外周面を覆うようにして、スプール軸１６と遊嵌している。したがって、内輪６４ａと第２被支持部１６ｄとの間には隙間ｇ２が存在する。また、図７に示すように外輪６４ｂ及び内輪６４ａは着磁されており、内輪６４ａは外輪６４ｂに対してスプール軸１６に沿った方向に付勢されている状態である。なお、ここでは、外輪６４ｂにはスプール１２側（図７の左側）に非磁性部６４ｅが形成されており、内輪６４ａにはハンドル２側（図７の右側）に非磁性部６４ｄが形成されているため、スプール軸１６に沿った方向に対して外輪６４ｂのＮ極及びＳ極と内輪６４ａのＮ極及びＳ極とはその位置がずれている。
【００３２】
図８に示すスプール軸１６の第１被支持部１６ｃを支える第１軸受６３は、主として、内輪６３ａと、外輪６３ｂと、複数の玉（転動体）６３ｃとから構成されている。内輪６３ａ及び外輪６３ｂは円弧状の溝を有しており、複数の玉６３ｃは両溝の間で保持される。なお、複数の玉６３ｃは図示しない保持器によって保持されている。外輪６３ｂは、側板５ａに形成された筒部７１に固定されている。内輪６３ａは、スプール軸１６の第１被支持部１６ｃの外周面を覆うようにして、スプール軸１６と遊嵌している。したがって、内輪６３ａと第１被支持部１６ｃとの間には隙間ｇ１が存在する。また、図８に示すように外輪６３ｂ及び内輪６３ａは着磁されており、内輪６３ａは外輪６３ｂに対してスプール軸１６に沿った方向に付勢されている状態である。なお、ここでは、外輪６３ｂにはスプール１２側と反対側（図８の左側）に非磁性部６３ｅが形成されており、内輪６３ａにはスプール１２側（図８の右側）に非磁性部６３ｄが形成されているため、スプール軸１６に沿った方向に対して外輪６３ｂのＮ極及びＳ極と内輪６３ａのＮ極及びＳ極とはその位置がずれている。
【００３３】
このようにしても、磁力により内輪６３ａ，６４ａが外輪６３ｂ、６４ｂに対して軸方向に付勢されるため、キャスティングを行うときに、内輪６３ａ，６４ａ及び外輪６３ｂ、６４ｂに保持される玉６３ｃ，６４ｃのがたつきが小さくなり、発生するノイズが抑えられる。
ここでは内輪６３ａ，６４ａを外輪６３ｂ、６４ｂに対して付勢する別個の付勢部材や永久磁石を設ける必要がないため、省スペース化を図ることができる。
【００３４】
【発明の効果】
本発明によれば、釣り用リールで内輪とスプール軸（回転軸）との間に隙間が存在する場合にも、内輪を外輪に対して軸方向に付勢しているため、内輪とスプール軸とを滑らせて低負荷でスプールを高回転させるときの転動体のがたつきが小さくなり、発生するノイズが抑えられる。
【図面の簡単な説明】
【図１】本発明の一実施形態による両軸受リールの斜視図。
【図２】両軸受リールの上面図。
【図３】両軸受リールの正面図。
【図４】両軸受リールの断面図。
【図５】第２軸受近傍の拡大図。
【図６】第１軸受近傍の拡大図。
【図７】第２実施形態の第２軸受近傍の拡大図。
【図８】第２実施形態の第１軸受近傍の拡大図。
【符号の説明】
１        リール本体
１２        スプール（回転体）
１６        スプール軸（回転軸）
６１ａ，６２ａ，６３ａ，６４ａ        内輪
６１ｂ，６２ｂ，６３ｂ，６４ｂ        外輪
６１ｃ，６２ｃ，６３ｃ，６４ｃ        玉（転動体）
７３ａ，８２ａ        永久磁石
【図１】
0003593450.tif 000002
【図２】
0003593450.tif 000003
【図３】
0003593450.tif 000004
【図４】
0003593450.tif 000005
【図５】
0003593450.tif 000006
【図６】
0003593450.tif 000007
【図７】
0003593450.tif 000008
【図８】
0003593450.tif 000009